(57)【要約】【課題】基本色に特殊色が重なった場合の色段差発生を防止することができる画像処理装置、画像形成装置及びプログラムを提供する。【解決手段】画像処理装置は、属性情報を有する基本色と特殊色との画像データを受け付ける受付手段５８と、前記受付手段５８により受け付けられる画像データにおいて基本色と特殊色とが重なった場合、いずれの属性情報を適用するかを決定する決定手段６２と、前記決定手段６２により決定された属性情報に応じた画像処理を実行する画像処理実行手段６８と、を有する。【選択図】図５
2019022074.tif 000002
【特許請求の範囲】
【請求項１】
属性情報を有する基本色と特殊色とを含む画像データを受け付ける受付手段と、
前記受付手段により受け付けられる画像データにおいて基本色と特殊色とが重なった場合、特殊色の種類と画像値によりいずれの属性情報を適用するかを決定する決定手段と、
前記決定手段により決定された属性情報に応じた画像処理を実行する画像処理実行手段と、
を有する画像処理装置。
【請求項２】
前記決定手段は、特殊色の画素値に関する閾値が設けられ、該閾値を調整する調整手段をさらに有する請求項１記載の画像処理装置。
【請求項３】
基本色と特殊色が重なった領域の色を表示する表示手段をさらに有する請求項２記載の画像処理装置。
【請求項４】
前記決定手段は、基本色の現像剤量に対する特殊色の現像剤量の割合に基づいて、いずれの属性情報を適用するかを決定する請求項１記載の画像処理装置。
【請求項５】
前記決定手段は、基本色の現像剤量に対する特殊色の現像剤量との割合が予め定められた閾値以上の場合、特殊色の属性情報を適用するように決定する請求項４記載の画像処理装置。
【請求項６】
前記決定手段は、基本色の現像剤量に対する特殊色の現像剤量との割合が予め定められた閾値未満の場合、基本色の属性情報を適用するように決定する請求項４記載の画像処理装置。
【請求項７】
前記決定手段は、特殊色として透明色が最前面に印刷される場合、特殊色の現像剤量に関わらず基本色の属性情報を適用するように決定する請求項１記載の画像処理装置。
【請求項８】
属性情報は文字か画像であり、前記画像処理実行手段は、画像に対して色調整する請求項１から７いずれか記載の画像処理装置。
【請求項９】
画像を処理する画像処理装置と、
前記画像処理装置により処理された画像を記録媒体に形成する画像形成装置本体と、を有し、
前記画像処理装置は、
属性情報を有する基本色と特殊色との画像データを受け付ける受付手段と、
前記受付手段により受け付けられる画像データにおいて基本色と特殊色とが重なった場合、特殊色の種類と画素値によりいずれの属性情報を適用するかを決定する決定手段と、
前記決定手段により決定された属性情報に応じた画像処理を実行する画像処理実行手段と、
を有する画像形成装置。
【請求項１０】
属性情報を有する基本色と特殊色との画像データを受け付けるステップと、
受け付けられる画像データにおいて基本色と特殊色とが重なった場合、特殊色の種類と画素値によりいずれの属性情報を適用するかを決定するステップと、
決定された属性情報に応じた画像処理を実行するステップと、
を有するコンピュータに実行させるためのプログラム。
【発明の詳細な説明】
【技術分野】
【０００１】
本発明は、画像処理装置、画像形成装置及びプログラムに関する。
【背景技術】
【０００２】
特許文献１は、透明画像の有無によって色変換の処理条件を選択することによって、透かし印刷された画面において、透明画像によって有色画像に生じる違和感を低減し自然な画像を得ることができるようにした画像処理装置を開示する。
【０００３】
特許文献２は、ＣＭＹＫ版と透明トナー版のコマンド解析を行う解析手段と、解析手段によるコマンド解析の結果に基づき、ＣＭＹＫ版の画像データを生成する生成手段と、生成手段によって生成されたＣＭＹＫ版の画像データの画素毎に附随する属性フラグに、透明トナー版を解析して得られた透明トナー属性を埋め込む埋め込み手段とを備えたことを特徴とする制御装置を開示する。
【先行技術文献】
【特許文献】
【０００４】
【特許文献１】特開２０１０−２６３３２２号公報
【特許文献２】特開２００９−５５６０１号公報
【発明の概要】
【発明が解決しようとする課題】
【０００５】
ところで、基本色に特殊色を重ねると、いずれかの属性情報を適用するかにより色段差を生じることがある。
ここで、基本色とは、画像形成する上で基本となる色であり、一例としてはＹＭＣ（イエロー、マゼンダ、シアン）或はＹＭＣＫ（イエロー、マゼンダ、シアン、黒）の現像剤を用いて形成する色である。また、特殊色とは、基本色現像剤以外の現像剤を用いて形成する色であり、基本色現像剤以外の現像剤には、金、銀、透明、白、オレンジ、チャイナレッド等の現像剤が含まれる。特殊色は、特殊色現像剤のみを用いた色ばかりではなく、特殊色現像剤に基本色現像剤を加えた色も含まれる。また、色段差が生じるとは、特殊色と基本色を重ねた領域と、基本色の領域との間に不自然な色の差が生じることをいう。
【０００６】
本発明は、基本色に対して属性情報の異なる特殊色が前面に重なった場合の色段差発生を防止することができる画像処理装置、画像形成装置及びプログラムを提供することを目的としている。
【課題を解決するための手段】
【０００７】
請求項１に係る本発明は、属性情報を有する基本色と特殊色とを含む画像データを受け付ける受付手段と、前記受付手段により受け付けられる画像データにおいて基本色と特殊色とが重なった場合、特殊色の種類と画像値によりいずれの属性情報を適用するかを決定する決定手段と、前記決定手段により決定された属性情報に応じた画像処理を実行する画像処理実行手段と、を有する画像処理装置である。
【０００８】
請求項２に係る本発明は、前記決定手段は、特殊色の画素値に関する閾値が設けられ、該閾値を調整する調整手段をさらに有する請求項１記載の画像処理装置である。
【０００９】
請求項３に係る本発明は、基本色と特殊色が重なった領域の色を表示する表示手段をさらに有する請求項２記載の画像処理装置である。
【００１０】
請求項４に係る本発明は、前記決定手段は、基本色の現像剤量に対する特殊色の現像剤量の割合に基づいて、いずれの属性情報を適用するかを決定する請求項１記載の画像処理装置である。
【００１１】
請求項５に係る本発明は、前記決定手段は、基本色の現像剤量に対する特殊色の現像剤量との割合が予め定められた閾値以上の場合、特殊色の属性情報を適用するように決定する請求項４記載の画像処理装置である。
【００１２】
請求項６に係る本発明は、前記決定手段は、基本色の現像剤量に対する特殊色の現像剤量との割合が予め定められた閾値未満の場合、基本色の属性情報を適用するように決定する請求項４記載の画像処理装置である。
【００１３】
請求項７に係る本発明は、前記決定手段は、特殊色として透明色が最前面に印刷される場合、特殊色の現像剤量に関わらず基本色の属性情報を適用するように決定する請求項１記載の画像処理装置である。
【００１４】
請求項８に係る本発明は、属性情報は文字か画像であり、前記画像処理実行手段は、画像に対して色調整する請求項１から７いずれか記載の画像処理装置である。
【００１５】
請求項９に係る本発明は、画像を処理する画像処理装置と、前記画像処理装置により処理された画像を記録媒体に形成する画像形成装置本体と、を有し、前記画像処理装置は、属性情報を有する基本色と特殊色との画像データを受け付ける受付手段と、前記受付手段により受け付けられる画像データにおいて基本色と特殊色とが重なった場合、特殊色の種類と画素値によりいずれの属性情報を適用するかを決定する決定手段と、前記決定手段により決定された属性情報に応じた画像処理を実行する画像処理実行手段と、を有する画像形成装置である。
【００１６】
請求項１０に係る本発明は、属性情報を有する基本色と特殊色との画像データを受け付けるステップと、受け付けられる画像データにおいて基本色と特殊色とが重なった場合、特殊色の種類と画素値によりいずれの属性情報を適用するかを決定するステップと、決定された属性情報に応じた画像処理を実行するステップと、を有するコンピュータに実行させるためのプログラムである。
【発明の効果】
【００１７】
請求項１、９又は１０に係る本発明によれば、基本色の前面に特殊色が重なって配置された場合の属性情報の不一致による色段差発生を防止することができる。
【００１８】
請求項２に係る本発明によれば、請求項１に係る本発明の効果に加えて、特殊色の属性情報を適用する場合の閾値を使用者が調整することができる。
【００１９】
請求項３に係る本発明によれば、請求項２に係る本発明の効果に加えて、基本色と特殊色とが重なった領域の色を見ながら閾値を調整することができる。
【００２０】
請求項４に係る本発明によれば、請求項１に係る本発明の効果に加えて、特殊色の属性情報を採用する場合の閾値を内部的に演算することによって設定することができる。
【００２１】
請求項５又は６に係る本発明によれば、請求項１に係る本発明の効果に加えて、基本色の現像剤に対する特殊色の現像剤の量の割合が予め定められた閾値に以上であるか否かにより基本色又は特殊色の属性を適用するかを決定することができる。
【００２２】
請求項７に係る本発明によれば、請求項１に係る本発明の効果に加えて、特殊色が最前面に印刷される場合は、基本色の属性情報を適用して色段差発生を一律に防止することができる。
【００２３】
請求項８に係る本発明によれば、請求項１から７いずれかに係る本発明の効果に加えて、基本色と特殊色とが重なった領域の属性が画像であると決定した場合は色調整を行うことができる。
【図面の簡単な説明】
【００２４】
【図１】本発明の実施形態に係る画像形成装置を示す正面図である。
【図２】本発明の実施形態に用いた画像形成装置本体を示す概略図である。
【図３】本発明の実施形態に用いた画像形成装置における画像形成部を示す側面図である。
【図４】本発明の実施形態に用いたサーバの回路例を示すブロック図である。
【図５】本発明の実施形態におけるサーバの機能を説明する機能構成図である。
【図６】本発明の実施形態において、基本色と特殊色とが重なった場合のタグ生成を示す説明図である。
【図７】本発明の実施形態において、基本色と特殊色とが重なった場合の処理フローを示すフローチャートである。
【図８】閾値を設定するための第一の実施形態における処理フローを示すフローチャートである。
【図９】本発明の実施形態において、確認用のプレビュー画面を示す画面図である。
【図１０】閾値を設定するための第二の実施形態における処理フローを示すフローチャートである。
【発明を実施するための形態】
【００２５】
次に、本発明の実施の形態について図面を参照して詳細に説明する。
図１は、本発明の実施形態に係る画像形成装置１０が示されている。
【００２６】
画像形成装置１０は、サーバ１２、画像形成装置本体１４及び後処理装置１６を有し、これらがネットワークを介して接続されている。
【００２７】
サーバ１２は、画像形成すべき画像データを画像形成装置本体１４に供給すると共に、画像形成装置本体１４及び後処理装置１６を制御するようになっている。また、このサーバ１２には、表示装置１７が接続されている。この表示装置１７は、例えば液晶により設定画面を表示し、またタッチパネル、キーボード等によりデータを入力できるようになっている。また、サーバ１２は画像処理装置であって、画像データを受け付け、受け付けた画像データを処理し、処理した画像データを画像形成装置本体１４へ出力する。
【００２８】
画像形成装置本体１４は、記録媒体供給部１８及び画像形成部２０を有する。
【００２９】
記録媒体供給部１８は、例えば記録媒体としてカット紙又は連続用紙を画像形成部２０に供給する。
【００３０】
画像形成部２０は、例えば図２に示された構造を有する。
即ち、画像形成部２０は、中間転写ベルト２２を備えている。中間転写ベルト２２の上方には、例えば６つの画像形成ユニット２４が設けられている。画像形成ユニット２４は、シアン、マゼンダ、イエロー及び黒の基本色現像剤の他、特殊色現像剤として、金、銀、透明、白、オレンジ、チャイナレッド等の中から選択されたトナーを用いて画像を形成するようになっている。特殊色現像剤は、画像形成ユニット２４と図示しないトナー収容部を交換することによって色を交換できるようにしてある。
【００３１】
画像形成ユニット２４は、図３に示すように、例えばゼログラフィ方式であり、感光体ドラム２６と、この感光体ドラム２６の表面を一様に帯電する帯電手段としての帯電装置２８と、感光体ドラム２６上に形成された静電潜像を現像する現像装置３０と、クリーニング装置３２とから構成されている。感光体ドラム２６は、トナー像（現像剤像）を保持する円筒形状の画像保持体であり、帯電装置２８により一様に帯電され、光走査装置３４により照射されたレーザ光により静電潜像が形成される。感光体ドラム２６に形成された静電潜像は、現像装置３０によりトナーで現像される。中間転写ベルト２２を挟んで感光ドラム２６に対向した位置には一次転写ロール３６が設けられている。現像装置３０により現像されたトナー像は、一次転写ロール３６により中間転写ベルト２２に転写される。なお、トナー像の転写工程の後に感光体ドラム２６に付着している残留トナー及び紙粉等は、クリーニング装置３２によって除去される。
【００３２】
画像形成ユニット２４により中間転写ベルト２２に転写されたトナー像は、記録媒体供給部１８から供給された記録媒体に二次転写ロール３８により二次転写される。画像が転写された記録媒体は、定着ユニット４０に送られ、例えば熱と圧力とにより画像が定着される。このように画像が定着された記録媒体は、さらに冷却ユニット４２により冷却される。
【００３３】
前述したサーバ１２は、図４に示すように、ＣＰＵ４８、メモリ５０、ユーザインターフェイス５２及び通信インターフェイス５４を有し、これらが制御バス５６を介して接続されている。
【００３４】
ＣＰＵ４８は、メモリ５０に格納された制御プログラムに基づいて予め定められた処理を実行する。ユーザインターフェイス５２は、表示装置１７に接続されている。表示装置１７は、受信した画像データから生成したプレビュー画面や設定画面を表示する。
【００３５】
通信インターフェイス５４は、ネットワークに接続されたパーソナルコンピュータ等からの印刷データを受信して処理した画像データを画像形成装置本体１４へ送る。
【００３６】
図５は、本発明の実施形態に係るサーバ１２の機能構成図である。
なお、各機能は、ソフトウエアによって実現してもよいし、一部又は全部をハードウエアによって実現してもよい。
【００３７】
画像データ受付部５８は、ページ記述言語（Ｐａｇｅ  Ｄｅｓｃｒｉｐｔｉｏｎ  Ｌａｎｇｕａｇｅ，ＰＤＬ）で記述された受付印刷データを含む印刷要求を受け付ける。
なお、受け付ける画像データは、ＰＤＬに限らず、中間データであってもよい。
【００３８】
画像解析部６０は、画像データ受付部５８で受け付けられた画像データを解析する。解析には、オブジェクト（印刷対象）の属性情報が含まれる。属性情報には、文字及び画像があるが、グラフィックスを加えてもよい。
【００３９】
決定部６２は、後述するように、基本色と特殊色とが重なった場合に、閾値情報取得部６４により取得された閾値情報により基本色又は特殊色いずれかの属性情報を提供するかを決定する。
【００４０】
ラスタライズ部６６は、画像データをＣＭＹＫ版及び特殊色版に分けてラスタライズする。このラスタライズ部６６では、決定部６２により決定された属性情報に基づいて画素ごとに文字であるか画像であるかのタグが付される。
【００４１】
画像処理実行部６８は、この実施形態においては、文字に対しては何らの画像処理を行わないが、画像に対しては例えば色調整を行い、出力部７０より前述した画像形成装置本体１４へ画像データを出力する。
【００４２】
また、ラスタライズ部６６でラスタライズされた画像データは、変換部７２によりＣＭＹＫ版及び特殊色版をＲＧＢに変換し、表示装置１７に表示するようになっている。
【００４３】
図６は、ＣＭＹＫから形成される画像７４の最前面に特殊色（金又は透明）の文字７６を形成した場合の画像形成されるべき状態をタグ（属性情報）と共に示している。
【００４４】
例えば画像７４の最前面に金の文字７６を形成した場合は、図６（ａ）,（ｂ）に示すように、通常通り、文字７６のタグは有効とし、文字７６の領域は色調整されずに文字７６が形成される。
【００４５】
一方、画像７４の最前面に透明の文字７８を形成した場合は、図６（ｃ），（ｄ）に示すように、最前面の文字のタグは無効とし、文字７６の領域は、画像７４のタグに従って色調整される。
【００４６】
即ち、通常、最前面の文字７８のタグが有効とされるが、図６（ｃ）において、文字７８のタグが有効とされる場合は、文字７８の領域が文字として処理され、色調整されずに画像形成される。文字７８の領域が色調整されずに画像形成されると、色調整された周囲の画像７４との間で色段差が生じる。この実施形態においては、最前面の文字のタグは無効とし、文字７６の領域は、画像７４のタグに従って色調整されるので、色段差が生じない。
【００４７】
例えば基本色ＣＭＹＫ≠（０，０，０，０）である画素に０以外の特殊色を最前面に載せる場合、例を挙げると次のようになる（カッコ内は各色の現像剤量（画素値及び濃度に対応する）で０〜１００％で示す。１００％は供給できる最大の現像剤量である。）。
【００４８】
例１：透明色現像剤０〜１００％
この場合、透明色現像剤は無色透明であるため、濃度によらず基本色の属性情報とする。
【００４９】
例２：金現像剤１％
この場合、見た目上は基本色そのものなので、基本色の属性情報を残す。
【００５０】
例３：金現像剤ＸＸ％
この場合、見た目上、基本色よりも金が目立つＸＸ％以上なので、金の属性情報に書き換える。
【００５１】
例４：銀現像剤ＹＹ％
この場合も同様に、見た目上、基本色よりも銀が目立つＹＹ％以上なので、銀の属性情報に書き換える。
【００５２】
図７は、基本色と特殊色とが重なった場合の処理フローを示すフローチャートである。
まず、ステップＳ１０において、基本色ＣＭＹＫデータと、最前面の特殊色現像剤データの重なり部分の属性情報（文字／画像）が異なるか否かを判定する。
【００５３】
このステップＳ１０において、属性情報が異ならない（同じである）と判定された場合は、ステップＳ１２に進み、最前面の特殊色現像剤データの属性情報を適用する。一方、ステップＳ１０において、属性情報が異なると判定された場合は、ステップＳ１４へ進む。
【００５４】
ステップＳ１４においては、特殊色現像剤の色が透明以外か否かを判定する。このステップＳ１４において、特殊色現像剤の色が透明以外ではない（透明である）と判定された場合は、ステップＳ１６に進み、ＣＭＹＫの属性情報を適用する。
【００５５】
ステップＳ１４において、特殊色現像剤の色が透明以外であると判定された場合は、ステップＳ１８に進み、特殊色現像剤の画素値（現像剤量）が閾値よりも大きいか否かを判定する。ステップＳ１８において、閾値よりも大きくない（閾値未満である）と判定された場合は、ステップＳ１６へ進み、ＣＭＹＫの属性情報を適用する。
【００５６】
ステップＳ１８において、閾値よりも大きい（閾値以上である）と判定された場合は、ステップＳ１２に進み、最前面の特殊色現像剤データの属性情報を適用する。ステップＳ１２又はステップＳ１６の処理が終了すると、次のステップＳ２０に進み、適用する属性情報に応じた色調整をかけて出力し、処理を終了する。
【００５７】
次に上述した閾値の設定について説明する。
図８は、閾値を設定するための第一の実施形態における処理フローを示すフローチャートである。
【００５８】
まず、ステップＳ２２において、基本色ＣＭＹＫデータと、最前面の特殊色現像剤データの重なり部分の属性情報（文字／画像）が異なるか否かを判定する。
【００５９】
このステップＳ２２において、属性情報が異ならない（同じである）と判定された場合は、ステップＳ２４に進み、最前面の特殊色現像剤データの属性情報を適用する。一方、ステップＳ２２において、属性情報が異なると判定された場合は、ステップＳ２６へ進む。
【００６０】
ステップＳ２６においては、特殊色現像剤の色が透明以外か否かを判定する。このステップＳ２６において、特殊色現像剤の色が透明以外ではない（透明である）と判定された場合は、ステップＳ２８に進み、ＣＭＹＫの属性情報を適用する。
【００６１】
ステップＳ２６において、特殊色現像剤の色が透明以外であると判定された場合は、ステップＳ３０に進み、ＣＭＹＫデータと最前面の特殊色現像剤データとの重なり部分を表示装置１７のプレビュー画面に表示して使用者に確認できるようにする。
【００６２】
図９は、確認用のプレビュー画面８０を示す。
プレビュー画面８０は、画素値表示部８２、閾値表示部８４及び対象画像表示部８６を有する。
【００６３】
画素値表示部８２は、ＣＭＹＫ及び特殊色の画素値を表示する。特殊色は、最前面と最背面の画素値が表示されるようになっている。また、ＣＭＹＫ及び特殊色の画素値は、調整前と調整後にそれぞれ表示されるようになっている。
【００６４】
閾値表示部８４は、最前面の特殊色現像剤の属性情報を優先するための閾値Ｘを表示する。閾値Ｘは、この実施形態においては、特殊色現像剤の画素値で表示されるようになっているが、ＣＭＹＫの総量に対する割合として表示するようにしてもよい。この閾値は、初期値としては、最前面の特殊色現像剤の属性情報が優先されるように０が設定されている。
【００６５】
対象画像表示部８６は、ＣＭＹＫと最前面の特殊色との重なり部分を例えばマウスにより指定すると、画素値表示部８２に画素値が表示される。
【００６６】
図８に戻ると、ステップＳ３０でプレビュー画面が表示された状態で、次のステップＳ３２において、使用者が最前面の特殊色現像剤の色味を強調したいか否かを判定する。使用者が最前面の特殊色現像剤の色味を強調したい場合は、ステップＳ３４に進み、表示されている重なり部分の特殊色現像剤の画素値よりも低く設定する。一方、ステップＳ３２において、使用者が最前面の特殊色現像剤の色味を強調したくないと判定した場合は、ステップＳ３６に進み、表示されている重なり部分の特殊色現像剤の画素値よりも高く設定する。
【００６７】
次のステップＳ３８においては、特殊色現像剤データの画素値が閾値よりも大きいか否かを判定する。ステップＳ３８において、閾値よりも大きくない（閾値未満である）と判定された場合は、ステップＳ２８へ進み、ＣＭＹＫの属性情報を適用する。
【００６８】
ステップＳ３６において、閾値よりも大きい（閾値以上である）と判定された場合は、ステップＳ２４に進み、最前面の特殊色現像剤データの属性情報を適用する。ステップＳ２４又はステップＳ２８の処理が終了すると、次のステップＳ４０に進み、適用する属性情報に応じた色調整をかけて出力し、処理を終了する。
【００６９】
図１０は、閾値を設定するための第二の実施形態における処理フローを示すフローチャートである。
【００７０】
まず、ステップＳ４２において、基本色ＣＭＹＫデータと、最前面の特殊色現像剤データの重なり部分の属性情報（文字／画像）が異なるか否かを判定する。
【００７１】
このステップＳ４２において、属性情報が異ならない（同じである）と判定された場合は、ステップＳ４４に進み、最前面の特殊色現像剤データの属性情報を適用する。一方、ステップＳ４２において、属性情報が異なると判定された場合は、ステップＳ４６へ進む。
【００７２】
ステップＳ４６においては、特殊色現像剤の色が透明以外か否かを判定する。このステップＳ４６において、特殊色現像剤の色が透明以外ではない（透明である）と判定された場合は、ステップＳ４８に進み、ＣＭＹＫの属性情報を適用する。
【００７３】
ステップＳ４６において、特殊色現像剤の色が透明以外であると判定された場合は、ステップＳ５０に進み、ＣＭＹＫデータと最前面の特殊色現像剤データの現像剤総量を算出する。
【００７４】
次のステップＳ５２においては、ＣＭＹＫデータのトナー総量よりも特殊色現像剤データのトナー総量が大きいか否かを判定する。ステップＳ５２において、ＣＭＹＫデータの現像剤総量よりも特殊色現像剤データの現像剤総量が大きい（以上）と判定された場合はステップＳ４４へ進み、最前面の特殊色現像剤データの属性情報を適用する。一方、ＣＭＹＫデータのトナー総量よりも特殊色現像剤データのトナー総量が大きくない（未満）と判定された場合はステップＳ４４へ進み、ＣＭＹＫの属性情報を適用する。
【００７５】
ステップＳ５０及びＳ５２の処理は具体的には次のように行う。
現像剤量をＣはａ、Ｍはｂ、Ｙはｃ、Ｋはｄ、特殊色ＳＴはｘとする。
以下の不等式の結果が、真の場合は最前面の属性情報を適用し、偽の場合はＣＭＹＫデータの属性情報を適用する。
Ｐ×（ａ＋ｂ＋ｃ＋ｄ）＜ｘ×４・・・・・（１）
なお、Ｐは検証によって最適値が決定される。
例１としてａ＝４０，ｂ＝８０，ｃ＝９０，Ｙ＝７５，ｘ＝８５とする。
ここで、Ｐ＝１．１として式（１）に代入すると、３１３．５＜３４０．０となり、式（１）の不等式は真となるので、特殊色データの属性情報を優先させる。
また、例２としてａ＝６５，ｂ＝８０，ｃ＝９０，Ｙ＝７５，ｘ＝８５とする。
ここで、同じくＰ＝１．１として式（１）に代入すると、３４１．０＜３４０．０となり、式（１）の不等式は偽となるので、ＣＭＹＫデータの属性情報を優先させる。
【００７６】
ステップＳ４４又はＳ４８の処理が終了すると、ステップＳ５４に進み、適用する属性情報に応じた色調整をかけて出力する。
【００７７】
なお、Ｐは最適な設定以外にも、ＣＭＹＫデータが優先する優先モード、特殊色データが優先する特殊色優先モードを用意してもよい。
また、金、銀、透明、白、オレンジ、チャイナレッド等の使用する特殊色現像剤の種類によりＰの値を変更又は補正するようにしてもよい。
【００７８】
なお、上記実施形態においては、ゼログラフィ技術を用いて印刷する場合について説明したが、他の印刷技術、例えばインクジェット技術に対しても適用できる。
【符号の説明】
【００７９】
１０    画像形成装置
１２    サーバ
１４    画像形成装置本体
１７    表示装置
４８    ＣＰＵ
５０    メモリ
５２    ユーザインターフェイス
５８    画像データ受付部
６０    画像データ解析部
６２    決定部
６４    閾値情報取得部
６８    画像処理実行部
７４    画像
７６，７８    文字
８０    プレビュー画面
８２    画素値表示部
８４    閾値表示部
８６    対象画像表示部
【図１】
2019022074.tif 000003
【図２】
2019022074.tif 000004
【図３】
2019022074.tif 000005
【図４】
2019022074.tif 000006
【図５】
2019022074.tif 000007
【図６】
2019022074.tif 000008
【図７】
2019022074.tif 000009
【図８】
2019022074.tif 000010
【図９】
2019022074.tif 000011
【図１０】
2019022074.tif 000012